(57)【要約】      （修正有）【課題】食品などの被包装物に対して包装することが容易であると共に、包装した被包装物を開封し易い部分カット性包装体を提供する。【解決手段】部分カット性包装体１０は、所定の方向に延伸されて簡易にカット可能に形成された樹脂フィルム１１と、その樹脂フィルム１１における前記の所定の方向に対して直交する一辺に対して、少なくとも一箇所以上設けた切込み１２と、前記樹脂フィルム１１の前記の所定の方向平行な方向にひねりを加えた場合にそのひねった状態で安定するひねり部と、を設け構成する。【選択図】図１
0003161395.tif 000002
【実用新案登録請求の範囲】
【請求項１】
所定の方向に延伸されて簡易にカット可能に形成された樹脂フィルムと、その樹脂フィルムにおける前記の所定の方向に対して直交する一辺に対して、少なくとも一箇所以上設けた切込みと、前記樹脂フィルムの前記の所定の方向平行な方向にひねりを加えた場合にそのひねった状態で安定するひねり部と、を有することを特徴とする部分カット性包装体。
【請求項２】
所定の方向に延伸されて簡易にカット可能に形成された樹脂フィルムを二枚以上積層した積層シートと、その積層シートにおける前記の所定の方向に対して直交する一辺に対して、少なくとも一箇所以上設けた切込みと、前記積層シートの前記の所定の方向平行な方向に固定したひねりを付与する固定ひねり性と、を有することを特徴とする部分カット性包装体。
【請求項３】
所定の方向に延伸されて簡易にカット可能に形成された樹脂フィルムと、樹脂以外の他の材質からなるシートとを二枚以上積層した積層シートと、その積層シートにおける前記の所定の方向に対して直交する一辺に対して、少なくとも一箇所以上設けた切込みと、前記積層シートの前記の所定の方向平行な方向に固定したひねりを付与する固定ひねり性と、を有することを特徴とする部分カット性包装体。
【請求項４】
前記積層シートが、その積層間に印刷層を有することを特徴とする請求項２または請求項３に記載の部分カット性包装体。
【請求項５】
二箇所の前記切込みの間が、前記樹脂フィルムまたは前記積層シートを帯状にてカットすべく引っ張るための把持部となることを特徴とする請求項１、請求項２、請求項３または請求項４に記載の部分カット性包装体。
【請求項６】
前記樹脂フィルムまたは前記積層シートは、その前記の所定の方向折り返して形成した折り重ね部と、その折り重ね部における折返し線に直交する二辺のうちの少なくとも片側を接着した接着部と、を設けたことを特徴とする請求項１、請求項２、請求項３、請求項４または請求項５に記載の部分カット性包装体。
【考案の詳細な説明】
【技術分野】
【０００１】
本考案は、食品などの被包装物に対して包装することが容易であると共に、包装した被包装物を開封し易い部分カット性包装体を提供する技術に関する。
【背景技術】
【０００２】
被包装物は、フィルムやシートや袋などの包装体によって包装される。その際、前記包装体としては、被包装物を容易に包装したり、容易に開封したりするために、特許文献１や特許文献２などのように様々に工夫されている。
【０００３】
特許文献１には、例えば、チョコレート、飴、ラムネ、煎餅、ゼリー、クッキー、洋菓子、チーズなどの食品に対して、フィルムにて一巻きに包んでから、その両端側をひねって包装するために、ひねり性を有するひねり包装用フィルムが開発されている。そのひねり包装用フィルムとして必要とされる、デッドホールド性、透明性、寸法安定性、剛性および印刷性のすべての特性をバランスよく兼ね備えたフィルムを製造できる技術が開示されている。
【０００４】
特許文献２には、例えば、いわゆる使い捨てカメラを包装するための簡易開封性の袋体を提供する技術が開示されている。特に、横ピロー包装のごとく開封が難しい包装体にあっても、円滑かつ確実に開封できるよう工夫されている。その簡易開封性の袋体は、端辺にヒートシール帯を設けた袋であって、その袋を構成する包材が横一軸延伸フィルム層を有する。さらに、前記ヒートシール体にノッチを設けることによって、開封性の簡便性を向上している。
【先行技術文献】
【特許文献】
【０００５】
【特許文献１】特開２００７−３０８６４５号公報
【特許文献２】特開平９−４８４７１号公報
【考案の概要】
【考案が解決しようとする課題】
【０００６】
特許文献１に開示された技術では、被包装物が、例えば、手巻き寿司、おにぎり、パン、ケーキ、饅頭などのロール状の食品である場合、その食品をひねり包装用フィルムにて一巻きに包んでから、フィルムの両端側をひねることによって、簡単に包装できる。しかし、被包装物である食品を食べるときは、一方のひねり箇所を戻して開封し、その開封した一端側のフィルム一枚をめくって、食品をフィルムから露出させる。しかし、前記ひねり箇所を戻しても、その一端側のフィルムが重なり合っているために、その重なりのフィルム一枚だけをつかんで開封することが、簡単ではない。さらには、一端側のフィルムを他端側へめくって、被包装物を露出することも、簡単ではない。
【０００７】
特許文献２に開示された技術では、二つのノッチの間を指でつかんで引っ張ると、ノッチは、ヒートシール帯の内部線を越えて伝播するので、そのまま胴部を一周して袋を破ることによって、簡易開封性の袋体を二分する。そのように容易に開封することができるが、カメラなどの被包装物を袋にて包装する際は、その包装が簡単ではない。したがって、被包装物が、例えば、手巻き寿司、おにぎり、パン、ケーキ、饅頭などのロール状の食品に対しては、この簡易開封性の袋体では、上述したように包装が簡単ではないので、不向きである。
【０００８】
本願考案が解決しようとする課題は、食品などの被包装物に対して包装することが容易であると共に、包装した被包装物を開封し易い部分カット性包装体を提供することにある。
【課題を解決するための手段】
【０００９】
（第一の考案）
本願における第一の考案は、  所定の方向に延伸されて簡易にカット可能に形成された樹脂フィルム(11)と、その樹脂フィルム(11)における前記の所定の方向に対して直交する一辺に対して、少なくとも一箇所以上設けた切込み(12)と、前記樹脂フィルム(11)の前記の所定の方向平行な方向にひねりを加えた場合にそのひねった状態で安定するひねり部(14)と、を有することを特徴とする部分カット性包装体(10)に係る。
【００１０】
（作用）
樹脂フィルム(11) の上に、被包装物として例えば食品を、その長手方向が易カット方向に対してほぼ直角に向けて載せる。前記被包装物を樹脂フィルム(11)でくるむ時、切込み(12)の側の一辺が、他辺側より上になるように包む。次に、くるんだ樹脂フィルム(11)の両端側をひねって、ひねり部(14)を付与すると、包装が簡単に完了する。
食品を食べる時は、切込み(12)の近くの樹脂フィルム(11)を指でつかんで、前記の所定の方向へ引っ張ると、樹脂フィルム(11)が、前記切込み(12)から引き裂かれて分離する。一方のひねり部(14)を外方へ引っ張ると、食品が簡単に露出する。樹脂フィルム(11)で包装している食品の部分を手で持って、露出した食品を簡単に食べられる。
切込み(12)が一箇所の場合、その切込み(12)を食品の長手方向のほぼ中央に配置すれば、食品の半分側を簡単に露出させ、食べることができる。
切込み(12)が複数箇所の場合、その複数の切込み(12)を食品の長手方向に対して適宜間隔に配置すれば、各切込み(12)から樹脂フィルム(11)を引き裂いて、食品を少しずつ露出させて食べることができる。
【００１１】
（第二の考案）
第二の考案は、  所定の方向に延伸されて簡易にカット可能に形成された樹脂フィルム(22a,22b,・・・・)を二枚以上積層した積層シート(21)と、その積層シート(21)における前記の所定の方向に対して直交する一辺に対して、少なくとも一箇所以上設けた切込み(12)と、前記積層シート(21)の前記の所定の方向平行な方向にひねりを加えた場合にそのひねった状態で安定するひねり部(14)と、を有することを特徴とする部分カット性包装体(20)に係る。
【００１２】
（作用）
第一の考案と異なる点は、樹脂フィルム(11)が積層シート(21)に変わったことなので、第二の考案の部分カット性包装体(20)にて被包装物の食品を包装し、開封する作用は、第一の考案の部分カット性包装体(10)と同様である。
積層シート(21)が、樹脂フィルム(22a,22b,・・・・)を二枚以上積層したシートであるので、第一の考案に比べて、強度が増すことや、印刷性が向上する。それに伴って、被包装物の適用範囲が広くなる。
【００１３】
（第三の考案）
第三の考案は、  所定の方向に延伸されて簡易にカット可能に形成された樹脂フィルム(32)と、樹脂以外の他の材質からなるシート(33)とを二枚以上積層した積層シート(31)と、その積層シート(31)における前記の所定の方向に対して直交する一辺に対して、少なくとも一箇所以上設けた切込み(12)と、前記積層シート(31)の前記の所定の方向平行な方向にひねりを加えた場合にそのひねった状態で安定するひねり部(14)と、を有することを特徴とする部分カット性包装体(30)に係る。
【００１４】
（作用）
第一の考案と異なる点は、樹脂フィルム(11)が積層シート(31)に変わったことなので、第三の考案の部分カット性包装体(30)にて被包装物の食品を包装し、開封する作用は、第一の考案の部分カット性包装体(10)と同様である。
積層シート(31)が、所定の方向に延伸されて簡易にカット可能に形成された樹脂フィルム(32)と、樹脂以外の他の材質からなるシート(33)とを二枚以上積層したシート(33)であるので、第一の考案に比べて、強度が増すことや、印刷性が向上する。それに伴って、被包装物の適用範囲が広くなる。
【００１５】
（第一の考案、第二の考案および第三の考案のバリエーション１）
第一の考案、第二の考案および第三の考案は、以下のようなバリエーションを提供することもできる。
すなわち、  前記積層シート(21)，(31)が、その積層間に印刷層(15)を有する。
【００１６】
（作用）
前記積層シート(21)，(31)は、その積層間に印刷層(15)を設けることによって、印刷用インクが、被包装物の食品へ付着することを防げる。また、前記印刷層(15)によって、部分カット性包装体(20),(30)の使い方を示す説明図や装飾用絵柄などを表示することから、部分カット性包装体(20),(30)に対する意匠性が付与される。
【００１７】
（第一の考案、第二の考案および第三の考案のバリエーション２）
第一の考案、第二の考案および第三の考案は、以下のようなバリエーションを提供することもできる。
すなわち、  二箇所の前記切込み(12)，(12)の間が、前記樹脂フィルム(11)または前記積層シート(21)，(31)を帯状にてカットすべく引っ張るための把持部(13)となる。
【００１８】
（作用）
把持部(13)を指でつかんで、一軸延伸方向へ引っ張ると、樹脂フィルム(11)が、前記二箇所の切込み(12)，(12)の幅の帯状にて容易に引き裂かれる。単なる一つの切込み(12)から引き裂くのに比べて、引き裂き易くなる。また、複数箇所の前記把持部(13)を設ければ、各把持部(13)の切込み(12),(12)から樹脂フィルム(11)を引き裂き、食品を少しずつ露出させて食べることができる。
【００１９】
（第一の考案、第二の考案および第三の考案のバリエーション３）
第一の考案、第二の考案および第三の考案は、以下のようなバリエーションを提供することもできる。
すなわち、  前記樹脂フィルム(11)または前記積層シート(21)，(31)は、その前記の所定の方向折り返して形成した折り重ね部(41または51)と、その折り重ね部(41または51)における折返し線(42または52)に直交する二辺のうちの少なくとも片側を接着した接着部(43または53,53)と、を設ける。
【００２０】
（作用）
一つの接着部(43)を設けた場合、折り重ね部(41または51)と接着部(43)と折返し線(42または52) による袋体となる。その袋内に食品を挿入するので、包装が容易である。また、ひねり部(14)を一箇所設けるだけで、包装が簡単に完了する。
また、両側の接着部(53,53)を設けた場合、その接着部(53,53)と折返し線(42)と折り重ね部(51)による袋体となる。その袋内に食品を挿入するだけで、包装が簡単に完了する。
【考案の効果】
【００２１】
第一の考案によれば、被包装物に対して包装が容易であると共に、開封し易い部分カット性包装体を提供することができた。
また、第二の考案によれば、被包装物に対して包装が容易であると共に、開封し易い部分カット性包装体を提供することができた。
また、第三の考案によれば、被包装物に対して包装が容易であると共に、開封し易い部分カット性包装体を提供することができた。
【図面の簡単な説明】
【００２２】
【図１】本考案の第一の実施形態に係る部分カット性包装体の一例を示す概略説明図である。
【図２】図１の部分カット性包装体における作用を示す概略説明図である。
【図３】図１と関連する別の例を示す概略説明図である。
【図４】本考案の第一の実施形態に係る部分カット性包装体の他の例を示す概略説明図である。
【図５】図３の部分カット性包装体における作用を示す概略説明図である。
【図６】図３と関連する別の例を示す概略説明図である。
【図７】本考案の第二の実施形態に係る部分カット性包装体であって、（ａ）は一例を示す概略説明図で、（ｂ）は他の例を示す概略説明図である。
【図８】本考案の第三の実施形態に係る部分カット性包装体であって、（ａ）は一例を示す概略説明図で、（ｂ）は他の例を示す概略説明図である。
【図９】本考案の第四の実施形態に係る部分カット性包装体の一例を示す概略説明図である。
【図１０】図９の部分カット性包装体における作用を示す概略説明図である。
【図１１】本考案の第五の実施形態に係る部分カット性包装体の一例を示す概略説明図である。
【図１２】図１１の部分カット性包装体における作用を示す概略説明図である。
【考案を実施するための形態】
【００２３】
以下、本考案の第一の実施形態に係る部分カット性包装体１０について図面を参照して説明する。ここで使用する図面は、図１から図４である。
【００２４】
図１では、第一の実施形態に係る部分カット性包装体１０ａは、所定の方向に延伸されて簡易にカット可能に形成された樹脂フィルム１１が用いられる。その樹脂フィルム１１は、被包装物８０に合わせた大きさで、矩形状である。
なお、被包装物８０としては、特に限定されないが、本実施形態では、例えば、手巻き寿司、おにぎり、パン、ケーキ、饅頭などのロール状の食品を対象としている。
【００２５】
前記樹脂フィルム１１の一軸延伸方向は、図１において左右方向であるので、その一軸延伸方向がフィルムの易カット方向性となる。すなわち、一軸延伸フィルムは、引っ張った方向には樹脂フィルム１１の分子が伸びきっているので、殆ど伸びないが、一軸延伸方向に対して直角に引っ張ると、一軸延伸方向へ容易に引き裂くことができる。
【００２６】
また、前記樹脂フィルム１１は、その一軸延伸方向に対して直交する一辺に対して、少なくとも一箇所以上の切込み１２を設けている。
図１では、左側の一辺において、その長さのほぼ中央に二箇所の切込み１２，１２を設けている。その二箇所の切込み１２，１２の間は、指でつかめる幅となっている。前記二箇所の切込み１２，１２が、樹脂フィルム１１を引き裂くための把持部１３となる。つまり、前記把持部１３を指でつかんで、前記の所定の方向へ引っ張ると、樹脂フィルム１１が、前記二箇所の切込み１２，１２の幅で容易に引き裂かれる。
【００２７】
また、前記樹脂フィルム１１は、その一軸延伸方向に対して平行な方向に固定したひねり部１４（図２を参照）を付与する固定ひねり性を備えている。
【００２８】
また、前記部分カット性包装体１０ａは、樹脂フィルム１１の表面または裏面に、前記把持部１３となる二箇所の切込み１２，１２の間に、易カット方向に向けた矢印、点線、 “Ｏｐｅｎ”や“ひく”などの文字を印刷した印刷層１５を設けている。あるいは、その他に、この部分カット性包装体１０ａの使い方を示す説明図や装飾用絵柄などを印刷することもできる。
【００２９】
なお、本実施形態では、樹脂フィルム１１としては、一軸延伸ポリエチレンフィルムを用いているが、この限りではない。例えば、易カット性とひねり固定性を有する、セロハン、高密度ポリエチレン（ＨＤＰＥ），低密度ポリエチレン（ＬＤＰＥ），ポリエチレンテレフタレート（ＰＥＴ）など、あるいは、その他の樹脂を用いることができる。
【００３０】
上述した図１の部分カット性包装体１０ａにおける作用を説明する。
部分カット性包装体１０ａでは、図２（ａ）に示すように、樹脂フィルム１１の上に、例えば、被包装物８０であるホットドッグ８１を、その長手方向が樹脂フィルム１１の一軸延伸方向に対してほぼ直角に向けて載せる。つまり、ホットドッグ８１の長手方向は、樹脂フィルム１１の印刷層１５の矢印方向に対してほぼ直角になる。
【００３１】
次に、図２（ｂ）に示すように、ホットドッグ８１を樹脂フィルム１１で一巻きにくるむ。このとき、前記把持部１３の側の一辺が、他辺側より上になるように包む。
【００３２】
次に、図２（ｃ）に示すように、くるんだ樹脂フィルム１１の両端側をひねって、ひねり部１４を付与し、包装が簡単に完了する。
【００３３】
ホットドッグ８１を食べる時は、図２（ｄ）に示すように、二箇所の切込み１２，１２の間の把持部１３を指でつかんで、印刷層１５の矢印方向へ引っ張る。その結果、樹脂フィルム１１が、前記二箇所の切込み１２，１２の幅で帯状に引き裂かれて分離し、容易に開封する。
【００３４】
次に、図２（ｅ）に示すように、一方側のひねり部１４（図において右側）をつかんで、図の矢印に向けて引っ張ってホットドッグ８１の一部を露出する。樹脂フィルム１１で包装しているホットドッグ８１の部分を手で持って、露出したホットドッグ８１を容易に食べることができる。
以上のように、被包装物８０に対して包装が容易であると共に、開封しやすくて安価な部分カット性包装体１０ａを提供することができた。
【００３５】
図３では、第一の実施形態に係る部分カット性包装体１０における他の例として部分カット性包装体１０ｂを示している。その大部分は、図１で説明した部分カット性包装体１０ａと同様であるので、特に異なる点のみを説明する。
この部分カット性包装体１０ｂは、樹脂フィルム１１の図３において左側の一辺に、３つの把持部１３ａ，１３ｂ，１３ｃを設けている。切込み１２の数は合計６箇所であるが、隣り合う二箇所の切込み１２，１２の間で把持部１３ａ，１３ｂ，１３ｃとなる構成である。
このように、部分カット性包装体１０ｂは、樹脂フィルム１１の一軸延伸方向に対して直交する一辺（図３において左側の一辺）に、複数箇所の把持部１３ａ，１３ｂ，・・・・を設けることができる。したがって、各把持部１３ａ，１３ｂ，・・・・を指でつかんで、前記の所定の方向へ引っ張ると、樹脂フィルム１１が、各把持部１３ａ，１３ｂ，・・・・の二箇所の切込み１２，１２の帯状に容易に引き裂かれる。
【００３６】
図３の部分カット性包装体１０ｂは、図２に示す場合と同様に、例えば、被包装物８０であるホットドッグ８１を樹脂フィルム１１でくるんでから、その両端側をひねって、ひねり部１４を形成し、包装が簡単に完了する。
【００３７】
ホットドッグ８１を食べる時は、３つの把持部１３ａ，１３ｂ，１３ｃのうちの外側の一番目の把持部１３ａを、印刷層１５の矢印方向に引っ張って樹脂フィルム１１を引き裂く。一方側のひねり部１４をつかんで、ホットドッグ８１を露出するように樹脂フィルム１１を引っ張る。ホットドッグ８１は、食べるための部分だけが露出するので、他の部分にかかっているケチャップ等の液状物が、落ちて衣服や手を汚すような事態を防止できる。
次に、二番目の把持部１３ｂをつかんで、樹脂フィルム１１を引き裂いてホットドッグ８１を露出し、上述と同様にして食べることができる。三番目の把持部１３ｃも同様にして、樹脂フィルム１１を引き裂いてホットドッグ８１を露出して食べる。
【００３８】
図４では、第一の実施形態に係る部分カット性包装体１０における他の例として部分カット性包装体１０ｃを示している。その大部分は、図１で説明したのと同様であるので、特に異なる点のみを説明する。
図４の部分カット性包装体１０ｃは、基本的には、樹脂フィルム１１の一軸延伸方向に対して直交する一辺に対して、一箇所の切込み１２を設けていることにある。つまり、一箇所の切込み１２から樹脂フィルム１１を引き裂く構成である。
一箇所の切込み１２の近くの樹脂フィルム１１をつかんで、前記の所定の方向へ引っ張ると、樹脂フィルム１１が、前記一箇所の切込み１２から容易に引き裂かれる。
【００３９】
上述した図４の部分カット性包装体１０ｃにおける作用を説明する。
部分カット性包装体１０ｃでは、図５（ａ）に示すように、樹脂フィルム１１の上に、例えば、被包装物８０であるホットドッグ８１を、その長手方向が樹脂フィルム１１の易カット方向に対してほぼ直角に向けて載せる。つまり、ホットドッグ８１の長手方向が、樹脂フィルム１１の矢印方向に対してほぼ直角になる。
【００４０】
次に、図５（ｂ）に示すように、ホットドッグ８１を樹脂フィルム１１で一巻きにくるむ。このとき、前記切込み１２側の一辺が、他辺側より上に重なるように包む。
【００４１】
次に、図５（ｃ）に示すように、くるんだ樹脂フィルム１１の両端側をひねって、ひねり部１４を付与し、包装が簡単に完了する。
【００４２】
ホットドッグ８１を食べる時は、図５（ｃ）から図５（ｄ）に示すように、一箇所の切込み１２の近くの樹脂フィルム１１を指でつかんで、印刷層１５の矢印方向へ引っ張る。その結果、樹脂フィルム１１が、前記一箇所の切込み１２から引き裂かれて分離し、容易に開封する。
【００４３】
次に、図５（ｅ）に示すように、一方側のひねり部１４（図において右側）をつかんで、矢印に向けて引っ張って、ホットドッグ８１の一部を露出する。樹脂フィルム１１で包装しているホットドッグ８１の部分を手で持って、露出したホットドッグ８１を容易に食べることができる。
以上のように、被包装物８０に対して包装が容易であると共に、開封しやすくて安価な部分カット性包装体１０ｃを提供することができた。
【００４４】
図６では、第一の実施形態に係る部分カット性包装体１０における他の例として部分カット性包装体１０ｄを示している。その大部分は、図４で説明した部分カット性包装体１０ｃと同様であるので、特に異なる点のみを説明する。
この部分カット性包装体１０ｄは、樹脂フィルム１１の図６において左側の一辺に、３つの切込み１２ａ，１２ｂ，１２ｃを設けている。つまり、各切込み１２ａ，１２ｂ，１２ｃから樹脂フィルム１１を引き裂いて、樹脂フィルム１１を４分割に分離する構成である。
このように、部分カット性包装体１０ｄは、樹脂フィルム１１の一軸延伸方向に対して直交する一辺（図６において左側の一辺）に、複数箇所の切込み１２ａ，１２ｂ，・・・・を設ける。その切込み１２ａ，１２ｂ，・・・・の数と同じ数にて、樹脂フィルム１１を分離することができる。したがって、各切込み１２ａ，１２ｂ，・・・・の近くの樹脂フィルム１１を指でつかんで、前記の所定の方向へ引っ張ると、樹脂フィルム１１が、各切込み１２ａ，１２ｂ，・・・・から容易に引き裂かれる。
【００４５】
図６の部分カット性包装体１０ｄは、図５に示す場合と同様に、例えば、被包装物８０であるホットドッグ８１を樹脂フィルム１１でくるんでから、その両端側をひねって、ひねり部１４を形成し、包装が簡単に完了する。
ホットドッグ８１を食べる時は、３つの切込み１２ａ，１２ｂ，１２ｃのうちの外側の一番目の切込み１２ａの近くの樹脂フィルム１１を、印刷層１５の矢印方向に引っ張って樹脂フィルム１１を引き裂く。一方側のひねり部１４をつかんで、ホットドッグ８１を露出するように樹脂フィルム１１を引っ張る。ホットドッグ８１は、食べるための部分だけが露出するので、他の部分にかかっているケチャップ等の液状物が、落ちて衣服や手を汚すような事態を防止できる。
次に、二番目の切込み１２ｂの近くの樹脂フィルム１１をつかんで、樹脂フィルム１１を引き裂いてホットドッグ８１を露出し、上述と同様にして食べることができる。三番目の切込み１２ｃも同様にして、樹脂フィルム１１を引き裂いてホットドッグ８１を露出して食べる。
【００４６】
図７では、本発明の第二の実施形態に係る部分カット性包装体２０を示している。その大部分は、図１ないしは図６で説明した第一の実施形態に係る部分カット性包装体１０ａ，１０ｂ，１０ｃ，１０ｄと同様であり、異なる点は、樹脂フィルム１１が、他の構成の積層シート２１に変わることにある。
すなわち、図１ないしは図６で説明した例において、樹脂フィルム１１を積層シート２１に置き換えると、それ以外は同じ構成となる。代表して、図７（ａ）および図７（ｂ）について説明し、その他の例の説明は省略する。
【００４７】
図７（ａ）に示す部分カット性包装体２０ａは、図１に対応する構成である。積層シート２１は、所定の方向に延伸されて簡易にカット可能に形成された樹脂フィルム２２を二枚以上積層したものである。本実施形態では、二枚の樹脂フィルム２２ａ，２２ｂを積層している。
【００４８】
前記積層シート２１は、その一軸延伸方向に対して直交する一辺に対して、少なくとも一箇所以上の切込み１２を設けている。
図７（ａ）では、左側の一辺において、その長さのほぼ中央に二箇所の切込み１２，１２を設けている。その二箇所の切込み１２，１２の間は、指でつかめる幅となっている。前記二箇所の切込み１２，１２が、積層シート２１を引き裂くための把持部１３となる。つまり、前記把持部１３を指でつかんで、前記の所定の方向へ引っ張ると、積層シート２１が、前記二箇所の切込み１２，１２の幅で帯状に容易に引き裂かれる。
【００４９】
また、前記積層シート２１は、その一軸延伸方向に対して平行な方向に固定したひねり部１４を付与する固定ひねり性を備えている。
【００５０】
また、前記部分カット性包装体２０ａは、二枚の樹脂フィルム２２のａ，２２ｂの間の表面に、前記把持部１３となる二箇所の切込み１２，１２の間に、易カット方向に向けた矢印、点線、 “Ｏｐｅｎ”や“ひく”などの文字を印刷した印刷層１５を設けている。あるいは、その他に、この部分カット性包装体２０ａの使い方を示す説明図や装飾用絵柄などを印刷することもできる。
二枚の樹脂フィルム２２ａ，２２ｂの間に印刷層１５を設けることによって、印刷用インクが食品へ付着することを防げる。また、前記印刷層１５によって、部分カット性包装体２０ａに対する意匠性を付与できる。
前記部分カット性包装体２０ａの作用は、図２で説明したのと同様である。
【００５１】
また、前記部分カット性包装体２０ａは、前述した図３の部分カット性包装体１０ｂに対応して、積層シート２１の一軸延伸方向に対して直交する一辺に対して、複数箇所の把持部１３ａ，１３ｂ，・・・・を設けることができる。
この場合の作用は、図３の部分カット性包装体１０ｂにおける作用と同様である。
【００５２】
図７（ｂ）では、第二の実施形態に係る部分カット性包装体２０における他の例として部分カット性包装体２０ｂを示している。図４に対応する構成である。
図７（ｂ）の部分カット性包装体２０ｂは、基本的には、積層シート２１の一軸延伸方向に対して直交する一辺に対して、一箇所の切込み１２を設けていることにある。つまり、一箇所の切込み１２から積層シート２１を引き裂く構成である。
一箇所の切込み１２の近くの積層シート２１をつかんで、前記の所定の方向へ引っ張ると、積層シート２１が、前記一箇所の切込み１２から容易に引き裂かれる。
前記部分カット性包装体２０ｂの作用は、図５で説明したのと同様である。
【００５３】
また、前記部分カット性包装体２０ｂは、前述した図６の部分カット性包装体１０ｄに対応して、積層シート２１の一軸延伸方向に対して直交する一辺に対して、複数箇所の切込み１２ａ，１２ｂ，・・・・を設け、その切込み１２ａ，１２ｂ，・・・・の数と同じ数にて積層シート２１を分離することができる。したがって、各切込み１２ａ，１２ｂ，・・・・の近くの積層シート２１を指でつかんで、前記の所定の方向へ引っ張ると、積層シート２１が、各切込み１２ａ，１２ｂ，・・・・から容易に引き裂かれる。
この場合の作用は、図６の部分カット性包装体１０ｄにおける作用と同様である。
【００５４】
図８では、本発明の第三の実施形態に係る部分カット性包装体３０を示している。その大部分は、図１ないしは図６で説明した部分カット性包装体１０ａ，１０ｂ，１０ｃ，１０ｄと同様であり、異なる点は、樹脂フィルム１１が、他の構成の積層シート３１に変わることにある。
すなわち、図１ないしは図６で説明した例において、樹脂フィルム１１を積層シート３１に置き換えると、それ以外は同じ構成となる。代表して、図８（ａ）および図８（ｂ）について説明し、その他の例の説明は省略する。
【００５５】
図８（ａ）に示す部分カット性包装体３０ａは、図１および図７（ａ）に対応する構成である。積層シート３１は、所定の方向に延伸されて簡易にカット可能に形成された樹脂フィルム３２と、樹脂以外の他の材質からなるシート３３とを合計二枚以上積層したものである。本実施形態では、一枚の樹脂フィルム３２と一枚のシート３３を積層している。樹脂以外の他の材質のシート３３としては、例えば、アルミニウム箔、紙、あるいは、その他の材質がある。
【００５６】
前記積層シート３１は、その一軸延伸方向に対して直交する一辺に対して、少なくとも一箇所以上の切込み１２を設けている。
図８（ａ）では、左側の一辺において、その長さのほぼ中央に二箇所の切込み１２，１２を設けている。その二箇所の切込み１２，１２の間は、指でつかめる幅となっている。前記二箇所の切込み１２，１２が、積層シート３１を引き裂くための把持部１３となる。つまり、前記把持部１３を指でつかんで、前記の所定の方向へ引っ張ると、積層シート３１が、前記二箇所の切込み１２，１２の幅で帯状に容易に引き裂かれる。
【００５７】
また、前記積層シート３１は、その一軸延伸方向に対して平行な方向に固定したひねり部１４を付与する固定ひねり性を備えている。
【００５８】
また、前記部分カット性包装体３０ａは、樹脂フィルム３２とシート３３の間の表面に、前記把持部１３となる二箇所の切込み１２，１２の間に、易カット方向に向けた矢印、点線、 “Ｏｐｅｎ”や“ひく”などの文字を印刷した印刷層１５を設けている。あるいは、その他に、この部分カット性包装体３０ａの使い方を示す説明図や装飾用絵柄などを印刷することもできる。
樹脂フィルム３２とシート３３の間に印刷層１５を設けることによって、印刷用インクが食品へ付着することを防げる。また、前記印刷層１５によって、部分カット性包装体３０ａに対する意匠性を付与できる。
前記部分カット性包装体３０ａの作用は、図２で説明したのと同様である。
【００５９】
また、前記部分カット性包装体３０ｂは、前述した図３の部分カット性包装体１０ｂに対応して、積層シート３１の一軸延伸方向に対して直交する一辺に対して、複数箇所の把持部１３ａ，１３ｂ，・・・・を設けることができる。
この場合の作用は、図３の部分カット性包装体１０ｂにおける作用と同様である。
【００６０】
図８（ｂ）は、第三の実施形態に係る部分カット性包装体３０における他の例として部分カット性包装体３０ｂを示している。図４に対応する構成である。
図８（ｂ）の部分カット性包装体３０ｂは、基本的には、積層シート３１の一軸延伸方向に対して直交する一辺に対して、一箇所の切込み１２を設けていることにある。つまり、一箇所の切込み１２から積層シート３１を引き裂く構成である。
一箇所の切込み１２の近くの積層シート３１をつかんで、前記の所定の方向へ引っ張ると、積層シート３１が前記一箇所の切込み１２から容易に引き裂かれる。
前記部分カット性包装体３０ｂの作用は、図５で説明したのと同様である。
【００６１】
また、前記部分カット性包装体３０ｂは、前述した図６の部分カット性包装体１０ｄに対応して、積層シート３１の一軸延伸方向に対して直交する一辺に対して、複数箇所の切込み１２ａ，１２ｂ，・・・・を設け、その切込み１２ａ，１２ｂ，・・・・の数と同じ数にて積層シート３１を分離することができる。したがって、各切込み１２ａ，１２ｂ，・・・・の近くの積層シート３１を指でつかんで、前記の所定の方向へ引っ張ると、積層シート３１が各切込み１２ａ，１２ｂ，・・・・から容易に引き裂かれる。
この場合の作用は、図６の部分カット性包装体１０ｄにおける作用と同様である。
【００６２】
次に、本発明の第四の実施形態に係る部分カット性包装体４０について図面を参照して説明する。ここで使用する図面は、図９および図１０である。
これらの第四の実施形態は、前述した第一の実施形態ないしは第三の実施形態に係る部分カット性包装体１０，２０，３０を用いて、新たな構成を付加した部分カット性包装体４０となっている。その新たに付加した構成についてのみを説明する。
図９では、第一の実施形態ないしは第三の実施形態に係る部分カット性包装体１０，２０，３０を代表して、図３で説明した部分カット性包装体１０ｂを使用して説明する。
部分カット性包装体４０は、樹脂フィルム１１において、その一軸延伸方向に対して折り返して折り重ね部４１を形成する。その折り重ね部４１における折返し線４２に直交する二辺のうちの図９において下方の片側を接着して、接着部４３を形成する。つまり、前記樹脂フィルム１１に対して、前記折り重ね部４１と、一辺の前記接着部４３とを付加して構成している。前記接着部４３は、接着剤で接着しても、あるいは加熱して溶着しても適用される。
【００６３】
したがって、前記折り重ね部４１で重なった二枚の樹脂フィルム１１は、前記折返し線４２と前記接着部４３によって袋状に形成した包装体となる。
【００６４】
上述した図９の部分カット性包装体４０における作用を説明する。
部分カット性包装体４０では、図１０（ａ）に示すように、袋状の樹脂フィルム１１の中へ、例えば、被包装物８０であるホットドッグ８１を、その長手方向が樹脂フィルム１１の一軸延伸方向に対してほぼ直角に向けて投入する。つまり、ホットドッグ８１の長手方向は、樹脂フィルム１１の印刷層１５の矢印方向に対してほぼ直角になる。
【００６５】
次に、図１０（ｂ）に示すように、ホットドッグ８１を樹脂フィルム１１でくるむ際に、前記把持部１３の側の一辺が、折り重ね部４１より上に重なるように包む。
【００６６】
次に、図１０（ｃ）に示すように、図において左斜め上側の一端の樹脂フィルム１１をひねって、ひねり部１４を付与し、簡単にホットドッグ８１の包装が完了する。
【００６７】
ホットドッグ８１を食べる時は、前述した図２（ｄ）および図２（ｅ）に示すのと同様に開封する。３つの把持部１３ａ，１３ｂ，１３ｃのうちの外側の一番目の把持部１３ａを、印刷層１５の矢印方向に引っ張って樹脂フィルム１１を引き裂く。ひねり部１４をつかんで、ホットドッグ８１を露出するように樹脂フィルム１１を引っ張る。ホットドッグ８１は、食べるための部分だけが露出する。その露出した部分を食べる。
次に、二番目の把持部１３ｂをつかんで、樹脂フィルム１１を引き裂いてホットドッグ８１を露出し、上述と同様にして食べる。三番目の把持部１３ｃも同様にして、樹脂フィルム１１を引き裂いてホットドッグ８１を露出して食べる。
以上のように、被包装物８０に対して包装が容易であると共に、開封しやすくて安価な部分カット性包装体４０を提供することができた。
【００６８】
次に、本発明の第五の実施形態に係る部分カット性包装体５０について図面を参照して説明する。ここで使用する図面は、図１１および図１２である。
これらの第五の実施形態は、前述した第一の実施形態ないしは第三の実施形態に係る部分カット性包装体１０，２０，３０を用いて、新たな構成を付加した部分カット性包装体５０となっている。その新たに付加した構成についてのみを説明する。
図１１では、第一の実施形態ないしは第三の実施形態に係る部分カット性包装体１０，２０，３０を代表して、図３で説明した部分カット性包装体１０ｂを使用して説明する。
部分カット性包装体５０は、樹脂フィルム１１において、その一軸延伸方向に対して折り返して折り重ね部５１を形成する。その折り重ね部５１における折返し線５２に直交する二辺の両方を接着して、接着部５３，５３を形成する。つまり、前記樹脂フィルム１１に対して、前記折り重ね部５１と、二辺の前記接着部５３，５３とを付加して構成している。前記接着部５３，５３は、接着剤で接着しても、あるいは加熱して溶着しても適用される。
【００６９】
したがって、前記折り重ね部５１で重なった二枚の樹脂フィルム１１は、前記折返し線５２と二辺の前記接着部５３，５３によって袋状に形成した包装体となる。
【００７０】
上述した図１１の部分カット性包装体５０における作用を説明する。
部分カット性包装体５０では、図１２（ａ）に示すように、袋状の樹脂フィルム１１の中へ、例えば、被包装物８０であるホットドッグ８１を、その長手方向が樹脂フィルム１１の易カット方向に対してほぼ直角に向けて投入する。つまり、ホットドッグ８１の長手方向は、樹脂フィルム１１の印刷層１５の矢印方向に対してほぼ直角になる。
【００７１】
次に、図１２（ｂ）に示すように、ホットドッグ８１を樹脂フィルム１１でくるむ際に、前記把持部１３の側の一辺が、折り重ね部５１より上に重なるように包む。これで、簡単にホットドッグ８１の包装が完了する。
【００７２】
ホットドッグ８１を食べる時は、前述した図２（ｄ）および図２（ｅ）に示すのと同様に開封する。図９の場合と同様である。すなわち、３つの把持部１３ａ，１３ｂ，１３ｃのうちの外側の一番目の把持部１３ａを、印刷層１５の矢印方向に引っ張って樹脂フィルム１１を引き裂く。一方の接着部５３の側をつかんで、ホットドッグ８１を露出するように樹脂フィルム１１を引っ張る。ホットドッグ８１は、食べるための部分だけが露出する。その露出した部分を食べる。
次に、二番目の把持部１３ｂをつかんで、樹脂フィルム１１を引き裂いてホットドッグ８１を露出し、上述と同様にして食べる。三番目の把持部１３ｃも同様にして、樹脂フィルム１１を引き裂いてホットドッグ８１を露出して食べる。
以上のように、被包装物８０に対して包装が容易であると共に、開封しやすくて安価な部分カット性包装体５０を提供することができた。
【００７３】
なお、前述した第一の実施形態ないしは第５の実施形態の部分カット性包装体１０，２０，３０，４０においては、被包装物８０をくるんで、ひねり部１４を付与した時、例えば、固定用テープにて、前記ひねり部１４を外側からとめることができる。固定用テープとしては、例えば、ビニールテープ（ビニタイ）、紙テープ（紙タイ）、マスキングテープなどがある。ただし、前記固定用テープでとめることは、必ずしも必要ではない。
【産業上の利用可能性】
【００７４】
本考案は、
などにおいて、利用可能性を有する。
【符号の説明】
【００７５】
１０  部分カット性包装体（第一の実施形態の）
１０ａ，１０ｂ，１０ｃ，１０ｄ  部分カット性包装体
１１  樹脂フィルム １２  切込み
１３  把持部 １４  ひねり部
１５  印刷層
２０  部分カット性包装体（第二の実施形態の）
２０ａ，２０ｂ  部分カット性包装体 ２１  積層シート
２２，２２ａ，２２ｂ  樹脂フィルム
３０  部分カット性包装体（第三の実施形態の）
３０ａ，３０ｂ  部分カット性包装体 ３１  積層シート
３２  樹脂フィルム ３３  シート
４０  部分カット性包装体（第四の実施形態の）
４１  折り重ね部 ４２  折返し線
４３  接着部
５０  部分カット性包装体（第五の実施形態の）
５１  折り重ね部 ５２  折返し線
５３  接着部
８０  被包装物 ８１  ホットドッグ
【図１】
0003161395.tif 000003
【図２】
0003161395.tif 000004
【図３】
0003161395.tif 000005
【図４】
0003161395.tif 000006
【図５】
0003161395.tif 000007
【図６】
0003161395.tif 000008
【図７】
0003161395.tif 000009
【図８】
0003161395.tif 000010
【図９】
0003161395.tif 000011
【図１０】
0003161395.tif 000012
【図１１】
0003161395.tif 000013
【図１２】
0003161395.tif 000014